(57)【要約】【課題】作業性及び寸法精度を向上させることができる落とし込み治具および落とし込み治具を装着した布線用治具板ならびにワイヤハーネスの製造方法を提供すること。【解決手段】複数の電線４１の端部に端末部材４３が接続されたワイヤハーネス４０の電線４１を分岐する布線用治具板１０に装着される落とし込み治具２０であって、布線用治具板１０に有する治具架１１台上に配置され電線４１の端部側を掛止する分岐部材１２の近傍で端末部材４３を固定する端末保持部材２４と、端末保持部材２４が組み付けられ分岐部材１２側を支点として治具架台１１の下方に向けて傾動可能な傾動アーム２１と、を備え、端末保持部材２４に端末部材４３が保持された電線４１を分岐部材１２からの所定の長さを保持して傾動アーム２１が傾動される落とし込み治具２０。【選択図】図１
2007103156.tif 000002
【特許請求の範囲】
【請求項１】
複数の電線の端部に端末部材が接続されたワイヤハーネスの該電線を分岐する布線用治具板に装着される落とし込み治具であって、
前記布線用治具板に有する治具架台上に配置され前記電線の端部側を掛止する分岐部材の近傍で前記端末部材を固定する端末保持部材と、
前記端末保持部材が組み付けられ前記分岐部材側を支点として前記治具架台の下方に向けて傾動可能な傾動アームとを備え、
前記端末保持部材に前記端末部材が保持された前記電線を前記分岐部材からの所定の長さを保持して前記傾動アームが傾動されることを特徴とする落とし込み治具。
【請求項２】
前記端末保持部材が、前記傾動アームの長さ方向に移動可能に組み付けられていることを特徴とする請求項１に記載した落とし込み治具。
【請求項３】
前記端末保持部材が、付勢手段または直動機構を介して前記傾動アームに組み付けられていることを特徴とする請求項２に記載した落とし込み治具。
【請求項４】
複数の電線の端部に端末部材が接続されたワイヤハーネスの該電線を分岐する落とし込み治具を装着した布線用治具板であって、
前記落とし込み治具が、治具架台上に配置され前記電線の端部側を掛止する分岐部材の近傍で前記端末部材を固定する端末保持部材と、該端末保持部材が組み付けられ該分岐部材側を支点として前記治具架台の下方に向けて傾動可能な傾動アームとを備え、
前記落とし込み治具の前記端末保持部材に前記端末部材が保持された前記電線を前記分岐部材からの所定の長さを保持して前記傾動アームを傾動させて布線を行うことを特徴とする落とし込み治具を装着した布線用治具板。
【請求項５】
前記落とし込み治具の前記端末保持部材が、前記傾動アームの長さ方向に移動可能に組み付けられていることを特徴とする請求項４に記載した落とし込み治具を装着した布線用治具板。
【請求項６】
前記落とし込み治具の前記端末保持部材が、付勢手段または直動機構を介して前記傾動アームに組み付けられていることを特徴とする請求項５に記載した落とし込み治具を装着した布線用治具板。
【請求項７】
複数の電線の端部に端末部材が接続され該電線を所定位置で分岐する布線用治具板を用いたワイヤハーネスの製造方法であって、
前記布線用治具板が、治具架台上に配置され前記電線の端部側を掛止する分岐部材の近傍で前記端末部材を固定する端末保持部材と、前記端末保持部材が組み付けられ前記分岐部材側を支点として前記治具架台の下方に向けて傾動可能な傾動アームと、を備えた落とし込み治具を装着しており、該落とし込み治具の該端末保持部材に該端末部材が保持された該電線を該分岐部材からの所定の長さを保持して前記傾動アームを傾動させて布線することで作製されたことを特徴とするワイヤハーネスの製造方法。
【請求項８】
前記落とし込み治具の前記端末保持部材が、前記傾動アームの長さ方向に移動可能に組み付けられていることを特徴とする請求項７に記載したワイヤハーネスの製造方法。
【請求項９】
前記落とし込み治具の前記端末保持部材が、付勢手段または直動機構を介して前記傾動アームに組み付けられていることを特徴とする請求項８に記載したワイヤハーネスの製造方法。
【発明の詳細な説明】
【技術分野】
【０００１】
本発明は、複数の電線の端部に端末部材が接続されたワイヤハーネスの電線を分岐するのに用いる落とし込み治具および落とし込み治具を装着した布線用治具板ならびにワイヤハーネスの製造方法に関する。
【背景技術】
【０００２】
従来の布線用治具板の一例として、布線板７１上に、複数のコネクタ固定治具７２と、複数のＵ字ピン７３と、ピン付電線掛具７４と、を配置した布線用治具７０が知られている（例えば、特許文献１参照）。
このような布線用治具板７０は、コネクタ８２をコネクタ固定治具７２にそれぞれ固定し、ピン付電線掛具７４のピン７５をずらしておき、次に、Ｕ字ピン７３とピン付電線掛具７４とに掛けながら端子付電線８１を１本ずつ各コネクタ８２に装着することで複数の端子付電線８１を揃え、コネクタ固定治具７２とＵ字ピン７３との間にテープ巻きを行うことでワイヤハーネス８０を作製するようにしている。
【０００３】
【特許文献１】特開平０４−２０６３１４号公報
【発明の開示】
【発明が解決しようとする課題】
【０００４】
ところが、上記特許文献１に開示された従来の布線用治具板７０においては、端子付電線８１の寸法を、車体搭載時における所定の長さに維持するためにコネクタ８２を布線板７１上に配置しているので、布線板７１上に多数のコネクタ８２が配置される場合に、作業がし難く、コネクタ８２を配置できなくなる場合もある。
また、コネクタ８２が邪魔になるために、作業中にコネクタ固定治具７２からコネクタ８２を取り外すが、このコネクタ８２と端子付電線８１とで繋がりのある部位に、電線余長を生じたまま外装により固定されてしまうので、後の工程で、コネクタ８２をコネクタ固定治具７２に固定した際に、過テンションの状態となり、その結果、布線用治具７０からワイアヤハーネス８０を取り外したときに縮んで寸法不良を生ずることがある。
【０００５】
本発明は、上述した事情に鑑みてなされたものであり、その目的は、作業性及び寸法精度を向上させることができる落とし込み治具および落とし込み治具を装着した布線用治具板ならびにワイヤハーネスの製造方法を提供することにある。
【課題を解決するための手段】
【０００６】
１）本発明に係る落とし込み治具は、複数の電線の端部に端末部材が接続されたワイヤハーネスの該電線を分岐する布線用治具板に装着される落とし込み治具であって、
前記布線用治具板に有する治具架台上に配置され前記電線の端部側を掛止する分岐部材の近傍で前記端末部材を固定する端末保持部材と、前記端末保持部材が組み付けられ前記分岐部材側を支点として前記治具架台の下方に向けて傾動可能な傾動アームとを備え、前記端末保持部材に前記端末部材が保持された前記電線を前記分岐部材からの所定の長さを保持して前記傾動アームが傾動されることを特徴とする。
【０００７】
上記１）に記載の発明によれば、傾動アームが治具架台の同一面上に配置される初期状態において、ワイヤハーネスの電線を分岐部材に掛止し、端末部材を端末保持部材に固定する。そして、分岐部材側を支点として、傾動アームを治具架台の下方に向けて傾動させることで、布線の邪魔になる端末部材が治具架台上からなくなり、電線が分岐部材からの所定の長さに設定される。従って、複数の端末保持部材を用いる際においても、傾動アームの傾動により端末保持部材が治具架台の下方に隠蔽されるために、布線の作業性を向上させることができるとともに、電線に対して不必要なテンションを与えることなく寸法精度を向上させることができる。
【０００８】
２）また、本発明に係る落とし込み治具は、上記（１）に記載の落とし込み治具において、前記端末保持部材が、前記傾動アームの長さ方向に移動可能に組み付けられていることを特徴とする。
【０００９】
上記２）に記載の発明によれば、初期状態において電線に弛みが生じていたとしても、弛みがなくなるまで端末保持部材を移動させることで弛みを解消できるので、電線に余長を必要とせずに、電線に弛みを生じることなく布線を行えるとともに、電線が他の治具等に引っ掛かることがない。
【００１０】
３）また、本発明に係る落とし込み治具は、上記（２）に記載の落とし込み治具において、前記端末保持部材が、付勢手段または直動機構を介して前記傾動アームに組み付けられていることを特徴とする。
【００１１】
上記３）に記載の発明によれば、端末部材を固定した端末保持部材が、付勢手段を介して傾動アームに組み付けられることで、初期状態において弛みがなくなるまで付勢手段に抗して端末保持部材を移動させておけば、傾動アームが傾動してからも電線に弛みのない布線を行うことができる。これとは異なり、端末部材を固定した端末保持部材が、ボールねじ装置やシリンダ装置やカム装置等の直動機構を介して傾動アームに組み付けられることで、直動機構により初期状態において弛みがなくなる位置まで端末保持部材を移動させておき、ワイヤハーネスを取り外す際に、端末保持部材を分岐部材側に戻し移動させれば、ワイヤハーネスを簡単に取り外すことができる。
【００１２】
４）また、本発明に係る落とし込み治具を装着した布線用治具板は、複数の電線の端部に端末部材が接続されたワイヤハーネスの該電線を分岐する落とし込み治具を装着した布線用治具板であって、
前記落とし込み治具が、治具架台上に配置され前記電線の端部側を掛止する分岐部材の近傍で前記端末部材を固定する端末保持部材と、該端末保持部材が組み付けられ該分岐部材側を支点として前記治具架台の下方に向けて傾動可能な傾動アームとを備え、前記落とし込み治具の前記端末保持部材に前記端末部材が保持された前記電線を前記分岐部材からの所定の長さを保持して前記傾動アームを傾動させて布線を行うことを特徴とする。
【００１３】
上記４）に記載の発明によれば、布線用治具板に装着された落とし込み治具の傾動アームが治具架台の同一面上に配置される初期状態において、ワイヤハーネスの電線を分岐部材に掛止し、端末部材を端末保持部材に固定する。そして、分岐部材側を支点として、傾動アームを治具架台の下方に向けて傾動させることで、布線の邪魔になる端末部材が治具架台上からなくなり、電線が分岐部材からの所定の長さに設定される。従って、布線用治具板の治具架台上に複数の端末保持部材が配置される場合においても、落とし込み治具の傾動アームの傾動により端末保持部材が治具架台の下方に隠蔽されるために、布線の作業性を向上させることができるとともに、電線に対して不必要なテンションを与えることなく寸法精度を向上させることができる。
【００１４】
５）また、本発明に係る落とし込み治具を装着した布線用治具板は、上記（４）に記載した落とし込み治具を装着した布線用治具板において、前記落とし込み治具の前記端末保持部材が、前記傾動アームの長さ方向に移動可能に組み付けられていることを特徴とする。
【００１５】
上記５）に記載の発明によれば、布線用治具板に装着された落とし込み治具における初期状態において電線に弛みが生じていたとしても、弛みがなくなるまで端末保持部材を移動させることで弛みを解消できるので、電線に余長を必要とせずに、電線に弛みを生じることなく布線を行えるとともに、電線が他の治具等に引っ掛かることがない。
【００１６】
６）また、本発明に係る落とし込み治具を装着した布線用治具板は、上記（５）に記載した落とし込み治具を装着した布線用治具板において、前記落とし込み治具の前記端末保持部材が、付勢手段または直動機構を介して前記傾動アームに組み付けられていることを特徴とする。
【００１７】
上記６）に記載の発明によれば、布線用治具板に装着された落とし込み治具において、端末部材を固定した端末保持部材が、付勢手段を介して傾動アームに組み付けられることで、初期状態において弛みがなくなるまで付勢手段に抗して端末保持部材を移動させて傾動アームにロックしておけば、傾動アームが傾動してからも電線に弛みのない布線を行うことができる。これとは異なり、端末部材を固定した端末保持部材が、ボールねじ装置やシリンダ装置やカム装置等の直動機構を介して傾動アームに組み付けられることで、直動機構により初期状態において弛みがなくなる位置まで端末保持部材を移動させておき、ワイヤハーネスを取り外す際に、端末保持部材を分岐部材側に戻し移動させれば、ワイヤハーネスを簡単に取り外すことができる。
【００１８】
７）また、本発明に係るワイヤハーネスの製造方法は、複数の電線の端部に端末部材が接続され該電線を所定位置で分岐する布線用治具板を用いたワイヤハーネスの製造方法であって、
前記布線用治具板が、治具架台上に配置され前記電線の端部側を掛止する分岐部材の近傍で前記端末部材を固定する端末保持部材と、前記端末保持部材が組み付けられ前記分岐部材側を支点として前記治具架台の下方に向けて傾動可能な傾動アームと、を備えた落とし込み治具を装着しており、該落とし込み治具の該端末保持部材に該端末部材が保持された該電線を該分岐部材からの所定の長さを保持して前記傾動アームを傾動させて布線することで作製されたことを特徴とする。
【００１９】
上記７）に記載の発明によれば、落とし込み治具の傾動アームが治具架台の同一面上に配置される初期状態において、ワイヤハーネスの電線を分岐部材に掛止し、端末部材を端末保持部材に固定する。そして、分岐部材側を支点として、傾動アームを治具架台の下方に向けて傾動させることで、布線の邪魔になる端末部材が治具架台上からなくなり、電線が分岐部材からの所定の長さに設定される。従って、良好な作業性を伴って作製され、電線に対して不必要なテンションが与えられておらず、寸法精度が向上したワイヤハーネスを製造することができる。
【００２０】
８）また、本発明に係るワイヤハーネスの製造方法は、上記（７）に記載したワイヤハーネスの製造方法において、前記落とし込み治具の前記端末保持部材が、前記傾動アームの長さ方向に移動可能に組み付けられていることを特徴とする。
【００２１】
上記８）に記載の発明によれば、布線用治具板に装着された落とし込み治具における初期状態において電線に弛みが生じていたとしても、弛みがなくなるまで端末保持部材を移動させることで弛みを解消できるので、電線に余長がなく、電線に弛みがないワイヤハーネスを製造することができる。
【００２２】
９）また、本発明に係るワイヤハーネスの製造方法は、上記（８）に記載したワイヤハーネスの製造方法において、前記落とし込み治具の前記端末保持部材が、付勢手段または直動機構を介して前記傾動アームに組み付けられていることを特徴とする。
【００２３】
上記９）に記載の発明によれば、布線用治具板に装着された落とし込み治具において、端末保持部材が付勢手段または直動機構を介して傾動アームに組み付けられることで、電線に弛みがないワイヤハーネスを得ることができる。
【発明の効果】
【００２４】
本発明の落とし込み治具および落とし込み治具を装着した布線用治具板ならびにワイヤハーネスの製造方法によれば、作業がし難い、寸法不良を生ずる、という問題を解決でき、これにより、作業性及び寸法精度を向上させることができるという効果が得られる。
【発明を実施するための最良の形態】
【００２５】
以下、本発明に係る複数の好適な実施の形態例を図面に基づいて詳細に説明する。
【００２６】
（第１実施形態）
図１は本発明の落とし込み治具および落とし込み治具を装着した布線用治具板ならびにワイヤハーネスの製造方法の第１実施形態に用いられる布線用治具板の外観斜視図、図２は図１に示す布線用治具板における落とし込み治具の傾動時の外観斜視図である。
【００２７】
図１に示すように、本発明の落とし込み治具および落とし込み治具を装着した布線用治具板ならびにワイヤハーネスの製造方法の第１実施形態に用いられる布線用治具板１０は、治具架台１１と、分岐部材１２と、落とし込み治具２０と、から構成されている。
【００２８】
治具架台１１は、ここでは一部のみが示されているが、横方向及び奥行き方向に所定の長さを有する板部材であって、布線工程の作業者前に所定の高さで配置される。
【００２９】
分岐部材１２は、例えば二又形状の突起を有する部材であり、布線を行うワイヤハーネス４０において複数の電線４１の所定位置から分岐される分岐部４２に合わせた治具架台１１上に複数組み付けられる。分岐部材１２は、二又形状に代えて、三叉形状等の複数の又を有するものであっても良い。
【００３０】
落とし込み治具２０は、傾動アーム２１と、ベース２２と、支持軸２３と、端末保持部材２４と、を備える。
【００３１】
傾動アーム２１は、断面視Ｃ字形状をなす四角形の筒部材であって、上部に筒方向に一対のレール部２５，２５を有する。傾動アーム２１は、治具架台１１の分岐部材１２の近傍に治具架台１１の上下に貫通形成された四角形状のアーム収容孔１３内に組み込まれている。このとき、傾動アーム２１は、分岐部材１２側の端部にヒンジ軸２６が挿通されており、このヒンジ軸２６がアーム収容孔１３の分岐部材１２側に配置された一対のヒンジ軸支持部材２７，２７によって回動自在に支持されている。これにより、傾動アーム２１は、治具架台１１の同一面上にある初期位置Ａ１と、治具架台１１の下方に傾動された傾動位置（図２参照）Ａ２と、の間を傾動される。傾動アーム２１は、不図示の傾動アームロック機構により初期位置Ａ１及び傾動位置Ａ２で保持される。なお、布線用治具板１１上には、複数の傾動アーム２１が分岐部材１２の近傍に配置される。
【００３２】
ベース２２は、四角形状の板部材であって、傾動アーム２１の一対のレール部２５，２５に組み付けられているために、傾動アーム２１の長さ方向に移動自在であるとともに、傾動アーム２１上の所定の位置で保持可能である。
【００３３】
支持軸２３は、丸棒形状の軸部材であって、基端部がベース２２に固定され、先端部が端末保持部材２４に固定されていることで、端末保持部材２４を分岐部材１２の二又形状部分に対応した高さの位置に配置する。
【００３４】
端末保持部材２４は、直方体形状に形成されており、分岐部材１２側の側部にホルダ部２８を有する。ホルダ２８には、ワイヤハーネス４０の端部に組み付けられたコネクタやアース端子やジョイントコネクタ等の端末部材４３が挿入固定される。この場合、端末部材４３としてはコネクタが採用されている。
【００３５】
次に、図１を含め、図２を参照して、落とし込み治具２０を装着した布線用治具板１０を用いたワイヤハーネス４０の製造方法について説明する。
【００３６】
まず、図１を参照して、傾動アーム２１を治具架台１１の同一面上に配置した初期位置Ａ１において、ワイヤハーネス４０の電線４１の分岐部４２を分岐部材１２に掛止し、端末部材４３を端末保持部材２４のホルダ２８内に挿入固定する。
【００３７】
図２に示すように、傾動アームロック機構を解除することで、ヒンジ軸２６を支点として、傾動アーム２１を治具架台１１の下方に傾動させる。そして、傾動アーム２１が傾動位置Ａ２に到達すると傾動アーム２１の傾動が停止される。これにより、端末保持部材２４及び端末部材４３は治具架台１１の下側に隠蔽されて治具架台１１上に配置されない。このとき、初期位置Ａ１において電線４１に弛みが生じていたとしても、傾動アーム２１が傾動位置Ａ２に到達したところで、ベース２２のヒンジ軸２６からの位置を弛みが生じない位置まで移動させてから、その位置で保持することで電線４１は弛みを解消され、電線４１の分岐部４２が所定の長さに設定される。また、電線４１の分岐部４２に不必要なテンションが与えられない。この状態で、治具架台１１上の隣接する別の分岐部４２にテープ巻きを行うことで、テープ巻き作業を効率良く行うことができる。
【００３８】
そして、電線４１の分岐部４２が所定の長さに設定されたところで、傾動アーム２１を初期位置Ａ１に戻し傾動させて傾動アームロック機構により初期位置Ａ１に保持してから、分岐部４２にテープ巻き等を行った後、ワイヤハーネス４０を布線用治具板１０から取り外す。これにより、電線４１に弛みがなく、電線４１の分岐部４２の長さが所定の長さに設定されたワイヤハーネス４０が製造される。なお、テープ巻きは、傾動アーム２１が傾動位置Ａ２にあるときに行っても良い。
【００３９】
以上説明したように、落とし込み治具２０および落とし込み治具２０を装着した布線用治具板１０ならびにワイヤハーネス４０の製造方法によれば、傾動アーム２１が治具架台１１の同一面上に配置される初期位置Ａ１において、ワイヤハーネス４０の電線４１を分岐部材１２に掛止し、端末部材４３を端末保持部材２４に固定し、ヒンジ軸２６を支点として傾動アーム２１を治具架台１１の下方に向けて傾動位置Ａ２まで傾動させることで、布線の邪魔になる端末部材４３が治具架台１１上からなくなる。これにより、複数の端末保持部材を用いる際に、傾動アーム２１の傾動により端末保持部材２４が治具架台１１の下方に隠蔽されるために、布線の作業性を向上させることができるとともに、電線４１の分岐部４２が分岐部材１２からの所定の長さに設定され、電線４１に対して不必要なテンションを与えることなく寸法精度が向上したワイヤハーネス４０を得ることができる。
【００４０】
また、落とし込み治具２０および落とし込み治具２０を装着した布線用治具板１０ならびにワイヤハーネス４０の製造方法によれば、初期位置Ａ１において電線４０に弛みが生じていたとしても、弛みがなくなるまで端末保持部材２４を移動させることで弛みを解消できるので、電線４０に余長を必要とせずに、電線４０に弛みを生じることなく布線を行えるとともに、電線４０が他の治具等に引っ掛かることがない。
【００４１】
（第２実施形態）
次に、図３（ａ），（ｂ）を参照して、本発明の落とし込み治具および落とし込み治具を装着した布線用治具板ならびにワイヤハーネスの製造方法の第２実施形態について説明する。なお、以下の各実施形態において、既に説明した部材等と同様な構成・作用を有する部材等については、図中に同一符号または相当符号を付することにより、説明を簡略化する。
図３（ａ）は本発明の落とし込み治具および落とし込み治具を装着した布線用治具板ならびにワイヤハーネスの製造方法の第２実施形態に用いられる布線用治具板の初期位置における一部破断側面図、図３（ｂ）は図３（ａ）の傾動位置における一部破断側面図である。
【００４２】
図３（ａ）に示すように、第２実施形態の布線用治具板１０は、傾動アーム２１のレール部（図１参照）２５，２５に、ベース２２を固定するためのベースストッパ５１が組み込まれているとともに、傾動アーム２１の先端部にばねストッパ５２が組み付けられており、ベース２２とばねストッパ５２との間に付勢手段であるばね５３が組み込まれた落とし込み治具５０を備える。他の部位は、第１実施形態と同様に構成されている。
【００４３】
ベースストッパ５１は、傾動アーム２１のレール部２５，２５上の所定位置に固定されている。
【００４４】
ばね５３は、コイルばね（引張りばね）であり、通常、ベース２２をばねストッパ５２側に付勢しており、ばねストッパ５２とベース２２とが離れた後にベース２２をばねストッパ５２側へ引き戻す力を発生する。
【００４５】
このような布線用治具板１０は、傾動アーム２１を治具架台１１の同一面上に配置した初期位置Ａ１において、ワイヤハーネス４０の電線４１の分岐部４２を分岐部材１２に掛止し、端末部材４３を端末保持部材２４のホルダ２８内に挿入固定する。
【００４６】
図３（ｂ）に示すように、傾動アームロック機構を解除することで、ヒンジ軸２６を支点として、傾動アーム２１を治具架台１１の下方に傾動させる。そして、傾動アーム２１が傾動位置Ａ２に到達すると傾動アーム２１の傾動が停止される。このとき、ベース２２は、ばね５３に抗しながら電線４１に引っ張られてヒンジ軸２６方向に移動する。これにより、端末保持部材２４及び端末部材４３は治具架台１１の下側に隠蔽されるとともに、電線４１の分岐部４２に不必要なテンションが与えられず、弛みのない電線４１の分岐部４２が所定の長さに設定される。この状態で、治具架台１１上の隣接する別の分岐部４２にテープ巻きを行うことで、テープ巻き作業を効率良く行うことができる。
【００４７】
そして、電線４１の分岐部４２が所定の長さに設定されたところで、傾動アーム２１を初期位置Ａ１に戻し傾動させて傾動アームロック機構により初期位置Ａ１に保持してから、ワイヤハーネス４０を布線用治具板１０から取り外す。これにより、電線４１に弛みがなく、分岐部４２の長さが所定の長さに設定されたワイヤハーネス４０が製造される。
【００４８】
本実施形態による落とし込み治具５０および落とし込み治具５０を装着した布線用治具板１０ならびにワイヤハーネス４０の製造方法によれば、端末部材４３を固定した端末保持部材２４が、ベースストッパ５１とばねストッパ５２とばね５３とを介して傾動アーム２１に組み付けられる。これにより、初期位置Ａ１において弛みがなくなる様にばね５３により端末保持部材２４がばねストッパ５２方向に移動している。従って、傾動アーム２１が傾動する前から電線４０の分岐部４２に弛みのない布線を行うことができ、電線４１に対して不必要なテンションを与えることなく寸法精度が向上したワイヤハーネス４０を得ることができる。
なお、本実施形態では引張りばねの場合を説明したが、圧縮ばねをベースストッパ５１とベース２２の間に設けても同様の作用・効果を得ることができる。
【００４９】
（第３実施形態）
次に、図４（ａ），（ｂ）を参照して、本発明の落とし込み治具および落とし込み治具を装着した布線用治具板ならびにワイヤハーネスの製造方法の第３実施形態について説明する。
図４（ａ）は本発明の落とし込み治具および落とし込み治具を装着した布線用治具板ならびにワイヤハーネスの製造方法の第３実施形態に用いられる布線用治具板の初期位置における一部破断側面図、図４（ｂ）は図４（ａ）の傾動位置における一部破断側面図である。
【００５０】
図４（ａ）に示すように、第３実施形態の布線用治具板１０は、傾動アーム２１の先端部に固定されたボールねじモータ６１と、ボールねじモータ６１によって回転駆動されるボールねじ軸６２に螺挿されたベース６３と、を有する落とし込み治具６０を備える。他の部位は、第１実施形態と同様に構成されている。
【００５１】
ボールねじモータ６１は、電流が供給されることでボールねじ軸６２を回転駆動させるために、ベースストッパ５１に衝突する最短位置と、ベースストッパ５１から離れた最長位置との間でベース６３を直動移動させる。ここで、ボールねじモータ６１と、ボールねじ軸６２と、ベース６３と、の組み合わせからなるボールねじ装置に代えて、シリンダ装置やカム装置等の直動機構を用いてベース６３を直動移動させるようにしても良い。
【００５２】
このような布線用治具板１０は、傾動アーム２１を治具架台１１の同一面上に配置した初期位置Ａ１において、ワイヤハーネス４０の電線４１の分岐部４２を分岐部材１２に掛止し、端末部材４３を端末保持部材２４のホルダ２８内に挿入固定する。
【００５３】
図４（ｂ）に示すように、傾動アームロック機構を解除して、ベース６３をヒンジ軸２６側に移動後又は移動しながら、ヒンジ軸２６を支点として、傾動アーム２１を治具架台１１の下方に傾動させる。そして、傾動アーム２１が傾動位置Ａ２に到達すると傾動アーム２１の傾動が停止される。これにより、端末保持部材２４及び端末部材４３は治具架台１１の下側に隠蔽されて治具架台１１上に配置されないので、治具架台１１上の隣接する別の分岐部４２にテープ巻きを行うことで、テープ巻き作業を効率良く行うことができる。このとき、初期位置Ａ１で電線４１に弛みが生じていた場合、傾動アーム２１が傾動位置Ａ２に到達前又は到達後に、ボールねじモータ６１を駆動させることで、ベース６３の位置をヒンジ軸２６から離れるように移動させて、その位置で保持することで電線４１は弛みを解消されるので、電線４１の分岐部４２が所定の長さに設定される。また、電線４１の分岐部４２に不必要なテンションが与えられない。
【００５４】
そして、電線４１の分岐部４２が所定の長さに設定されたところで、傾動アーム２１を初期位置Ａ１に戻し傾動させて傾動アームロック機構により初期位置Ａ１に保持してから、分岐部４２にテープ巻き等を行い、ボールねじモータ６１を逆方向に駆動させることでベース６３をボールねじモータ６１に近づけてから、ワイヤハーネス４０を布線用治具板１０から取り外す。これにより、電線４１に弛みがなく、分岐部４２の長さが所定の長さに設定されたワイヤハーネス４０が製造される。なお、テープ巻きは、傾動アーム２１が傾動位置Ａ２にあるときに行っても良い。
【００５５】
本実施形態による落とし込み治具６０および落とし込み治具６０を装着した布線用治具板１０ならびにワイヤハーネス４０の製造方法によれば、ボールねじモータ６１とボールねじ軸６２とベース６３との組み合わせを用いて、弛みがなくなる位置まで端末保持部材２４を移動させる。そして、ワイヤハーネス４０を取り外す際に、端末保持部材２４を分岐部材１２側に移動させれば、ワイヤハーネス４０を簡単に取り外すことができ、電線４１に対して不必要なテンションを与えることなく寸法精度が向上したワイヤハーネス４０を得ることができる。
【００５６】
なお、本発明は、前述した実施形態に限定されるものではなく、適宜、変形、改良等が自在である。例えば、電線の本数は、コネクタに接続される回路に応じて選択されるために、限定されことはない。
【００５７】
また、傾動アームを傾動自在に支持する手段としては、ヒンジ軸に代えて、樹脂製等の可撓部材を用いても良い。また、端末保持部材にベースと支持軸とを、樹脂等を用いて一体成形して用いても良い。
【図面の簡単な説明】
【００５８】
【図１】本発明の落とし込み治具および落とし込み治具を装着した布線用治具板ならびにワイヤハーネスの製造方法の第１実施形態に用いられる布線用治具板の外観斜視図である。
【図２】図１に示した布線用治具板における落とし込み治具の傾動時の外観斜視図である。
【図３】（ａ）は本発明の落とし込み治具および落とし込み治具を装着した布線用治具板ならびにワイヤハーネスの製造方法の第２実施形態に用いられる布線用治具板の初期位置における一部破断側面図、（ｂ）は（ａ）の傾動位置における一部破断側面図である。
【図４】（ａ）は本発明の落とし込み治具および落とし込み治具を装着した布線用治具板ならびにワイヤハーネスの製造方法の第３実施形態に用いられる布線用治具板の初期位置における一部破断側面図、（ｂ）は（ａ）の傾動位置における一部破断側面図である。
【図５】従来の布線用治具板の概略図である。
【符号の説明】
【００５９】
１０              布線用治具板
１１              治具架台
１２              分岐部材
２０，５０，６０  落とし込み治具
２１              傾動アーム
２４              端末保持部材
４０              ワイヤハーネス
４１              電線
４３              端末部材
５３              ばね（付勢手段）
６１              ボールねじモータ（直動機構）（直動装置）
６２              ボールねじ軸（直動機構）（直動装置）
６３              ベース（直動機構）（直動装置）
【図１】
2007103156.tif 000003
【図２】
2007103156.tif 000004
【図３】
2007103156.tif 000005
【図４】
2007103156.tif 000006
【図５】
2007103156.tif 000007